(57)【特許請求の範囲】
【請求項１】
幅方向に連接される複数の間仕切りパネルと、
前記間仕切りパネルの連接方向に沿って配設され、前記間仕切りパネルの上下部が固定される上下一対の固定部材とを有し、
前記間仕切りパネルは、
その間仕切りパネルのパネル面を形成する壁面部と、
前記壁面部の両側部に上下方向にわたって配設され、少なくとも前記壁面部よりも一方向に突出し、隣接する間仕切りパネルと連結される連結部と、
前記壁面部の上下端位置の少なくとも一方より上または下方向に突出する突出部と、
を有し、
前記固定部材には、その長さ方向に延び、前記突出部がスライド可能に係合される固定溝が形成され、
前記突出部の側の前記固定部材には、該固定部材の一方の側面から前記固定溝に連通し前記突出部が挿入される第１挿入溝と、該固定部材の他方の側面から前記固定溝に連通し他の前記間仕切りパネルの前記突出部が挿入される第２挿入溝と、が形成され、
前記複数の間仕切りパネルの突出部が前記固定部材の前記固定溝に沿ってスライド移動されて前記第１または第２挿入溝に対応する位置と異なる位置にあり、前記間仕切りパネルの連結部の内側面と隣接する前記間仕切りパネルの連結部の内側面とが密着した状態で前記各間仕切りパネルが固定され、間仕切りパネルの両側部と壁面部によって囲まれる領域は、隣接する間仕切りパネルの連結部が占める部分を除いて凹部として形成され、前記各間仕切りパネルの凹部内に、１枚の前記間仕切りパネルを挟んで隣り合う２枚の前記間仕切りパネルの各連結部が、前記１枚の間仕切りパネルの対応する連結部と密着するように押圧する棚板を配設したことを特徴とする間仕切り構造。
【請求項２】
請求項１において、
連接方向の端部に位置する前記間仕切りパネルは、前記固定部材または室内の周辺部に連結固定されることを特徴とする間仕切り構造。
【請求項３】
請求項１または請求項２において、
前記第１挿入溝と、前記第２挿入溝とは、互いに対向する位置にあることを特徴とする間仕切り構造。
【請求項４】
請求項１ないし請求項３のいずれかにおいて、
隣接する前記間仕切りパネル同士は、隣接するそれぞれの前記連結部の一方に突起部、他方にこの突起部と嵌合する穴部が形成されていることを特徴とする間仕切り構造。
【請求項５】
請求項４において、
前記連結部は、該連結部の上端から下端まで延びる芯材を含んで形成され、
前記芯材は、上下対称な形状を有し、
前記突起部と、前記穴部とは、一対の前記芯材の対応する位置に形成されることを特徴とする間仕切り構造。
【請求項６】
請求項１ないし請求項５のいずれかにおいて、
前記固定部材の少なくとも一方は、室内上方または下方の周辺部に固定され、
前記固定部材が固定された前記周辺部の前記固定部材隣接面と、前記固定部材側面と、前記間仕切りパネルの端面とによって凹部が形成され、
この凹部を覆って被覆部材が固定されていることを特徴とする間仕切り構造。
【請求項７】
間仕切りパネルの端部または突出部を固定部材の固定溝に係合させて間仕切りパネルを固定する請求項１に記載の間仕切り構造の施工方法であって、
前記連結部の突出方向側を前記固定部材に向けて、前記間仕切りパネルの前記突出部を前記固定部材の前記第１または第２挿入溝のいずれか一方から前記固定溝まで挿入する第１工程と、
前記間仕切りパネルの前記突出部を前記固定溝に係合させた状態で、前記間仕切りパネルを前記固定部材の前記固定溝に沿って移動させる第２工程と、
前記連結部の突出方向側を固定部材に向けて、前工程で前記固定溝に係合させた間仕切りパネルに隣接する前記間仕切りパネルの前記突出部を前記第１および第２挿入溝の前工程で用いていない一方から前記固定溝まで挿入する第３工程と、
前記隣接する間仕切りパネルの前記突出部を前記固定溝に係合させた状態で、前記隣接する間仕切りパネルを前記固定部材の前記固定溝に沿って移動させることによって、前記間仕切りパネルの連結部の内側面と前記隣接する間仕切りパネルの連結部の内側面とを密着させて間仕切りパネルの両側部と壁面部によって囲まれる領域を、隣接する間仕切りパネルの連結部が占める部分を除いて凹部として形成する第４工程と、
を有し、
順次隣接する前記間仕切りパネルを追加し、前記第３工程および第４工程を繰り返して前記間仕切りを形成すると共に、前記各間仕切りパネルの凹部内に、１枚の前記間仕切りパネルを挟んで隣り合う２枚の前記間仕切りパネルの各連結部が、前記１枚の間仕切りパネルの対応する連結部と密着するように押圧する棚板を配設することを特徴とする間仕切り構造の施工方法。
【発明の詳細な説明】
【０００１】
【発明の属する技術分野】
本発明は、間仕切り構造およびその施工方法に関し、特に、水平断面形状がコ字型の間仕切りパネルを用いた間仕切り構造およびその施工方法に関する。
【０００２】
【関連技術および発明が解決しようとする課題】
水平断面形状がコ字型の間仕切りパネルを用いた間仕切り構造の関連技術の一つとして、特開平７−１９７５６１に開示された間仕切り構造がある。この関連技術においては、図１５（Ａ）に斜視図として示したように、上下の固定部材６０の一方の側方から間仕切りパネル６４を挿入し、続いて、交互に上下の固定部材６０の一方または他方の側方から間仕切りパネル６４を上下の固定部材６０の間に挿入する。そして、図１５（Ｂ）および図１５（Ｃ）に水平断面図および斜視図として示すように、各間仕切りパネルの隣接する連結部の内側面同士が密着する状態で上下の固定部材６０の間に間仕切りパネル６４を固定していた。
【０００３】
しかしながら、上記関連技術においては、間仕切りの構築課程において間仕切りパネル６４が周囲の構造に完全に固定されるまでの間、間仕切りパネル６４の転倒を防止するために間仕切りパネル６４を人手によって支持しておく必要があり、間仕切りの構築に多くの労力を要するという問題点があった。
【０００４】
かといって、間仕切りパネルを人手で押さえておく必要をなくすために、例えば襖のような差し込み式にすると、間仕切りパネルが左右に移動しないように固定するだけでは、上下および厚さ方向のがたつきが生じ得るという問題点もある。
【０００５】
本発明は、上記のような問題点に鑑みてなされたものであって、その目的は、間仕切りの構築課程において、間仕切りパネルの転倒を防止するために、人手によって間仕切りパネルを支持する必要がなく工数を削減することができる間仕切り構造およびその施工方法を提供することにある。
【０００６】
また、本発明の他の目的は間仕切りパネルの上下方向のがたつきが殆ど生じえない間仕切り構造およびその施工方法を提供することにある。
【０００７】
【０００８】
【課題を解決するための手段】
請求項１に記載の発明に係る間仕切り構造は、
幅方向に連接される複数の間仕切りパネルと、
前記間仕切りパネルの連接方向に沿って配設され、前記間仕切りパネルの上下部が固定される上下一対の固定部材とを有し、
前記間仕切りパネルは、
その間仕切りパネルのパネル面を形成する壁面部と、
前記壁面部の両側部に上下方向にわたって配設され、少なくとも前記壁面部よりも一方向に突出し、隣接する間仕切りパネルと連結される連結部と、
前記壁面部の上下端位置の少なくとも一方より上または下方向に突出する突出部と、
を有し、
前記固定部材には、その長さ方向に延び、前記突出部がスライド可能に係合される固定溝が形成され、
前記突出部の側の前記固定部材には、該固定部材の一方の側面から前記固定溝に連通し前記突出部が挿入される第１挿入溝と、該固定部材の他方の側面から前記固定溝に連通し他の前記間仕切りパネルの前記突出部が挿入される第２挿入溝と、が形成され、
前記複数の間仕切りパネルの突出部が前記固定部材の前記固定溝に沿ってスライド移動されて前記第１または第２挿入溝に対応する位置と異なる位置にあり、前記間仕切りパネルの連結部の内側面と隣接する前記間仕切りパネルの連結部の内側面とが密着した状態で前記各間仕切りパネルが固定され、間仕切りパネルの両側部と壁面部によって囲まれる領域は、隣接する間仕切りパネルの連結部が占める部分を除いて凹部として形成され、前記各間仕切りパネルの凹部内に、１枚の前記間仕切りパネルを挟んで隣り合う２枚の前記間仕切りパネルの各連結部が、前記１枚の間仕切りパネルの対応する連結部と密着するように押圧する棚板を配設したことを特徴とする。
【０００９】
請求項１に記載の発明によれば、間仕切りパネルの突出部を、固定部材の第１または第２挿入溝を介して固定溝に挿入し、固定部材の長さ方向に移動させて、固定溝の第１または第２挿入溝に対応する位置と異なる位置にすることによって、間仕切りパネルを上下一対の固定部材の間に仮固定することができる間仕切り構造が得られる。そのため、間仕切りパネルを用いて間仕切りを構築する際に、間仕切りパネルが固定部材等に完全に固定されるまでの間、間仕切りパネルの転倒を防ぐために人手等によって支持しておく必要を生じることなく間仕切りを構築することができる。
【００１０】
また、上下一対の固定部材に、間仕切りパネルの上下部に位置する突出部を係合させた複数の間仕切りパネルを、隣接する連結部の内側面同士が密着する状態で連結することによって、間仕切りを構築することができるため、組立および解体が容易な間仕切り構造となる。
【００１１】
さらに、第１および第２挿入溝のある固定部材には、間仕切りパネルの上下位置を変化させることなく、間仕切りパネルの突出部を第１または第２挿入溝を介して固定溝に導き、固定溝に沿って移動させることによって、間仕切りパネルを固定することができるため、間仕切りパネルを固定部材に係合させるために間仕切りパネルの高さを、上下の固定部材の固定溝の底部間の距離より短くする必要がない。したがって、間仕切りパネルは、上下の固定部材の固定溝の間にほぼ隙間なく挟まれることになり、間仕切りパネルの上下方向のがたつきが殆ど生じえない間仕切り構造となる。
【００１２】
また、固定部材の少なくとも一方には間仕切りパネルの突出部が挿入されて固定溝まで移動される第１および第２挿入溝を有するため、上下の固定部材に固定溝のみが形成されている場合に比し、固定溝に係合させるために間仕切りパネルを傾けて上下に移動する距離が少なくてすむ。したがって、他方の固定部材の固定溝の幅の余裕も少なくてすみ、間仕切りパネルの厚さ方向のがたつきが少ない間仕切り構造を得ることができる。
【００１３】
さらに、間仕切りパネルの連結部は、間仕切りパネルの壁面部の両側部に配設され壁面部よりも一方向に突出しており、隣接する間仕切りパネルの連結部の内側面同士が接する状態で各間仕切りパネルが固定されるため、間仕切りパネルの両側部と壁面部によって囲まれる領域は、隣接する間仕切りパネルの連結部が占める部分を除いて凹部として残される。したがって、この凹部を収納用のスペース等として利用することができる。
また、１枚の間仕切りパネルを挟んで隣り合う２枚の間仕切りパネルの各連結部が、１枚の間仕切りパネルの対応する連結部と密着するように押圧する棚板によって、隣接する間仕切りパネルの対応する連結部は互いに密着した状態に保たれる。これによって、各間仕切りパネルは、固定溝に沿った方向に対して固定され、それ以外の方向に対しては固定部材によって固定されているため、各間仕切りパネルを完全に固定することができる。
【００１４】
請求項２は、請求項１に記載の発明に係る間仕切りにおいて、
連接方向の端部に位置する前記間仕切りパネルは、前記固定部材または室内の周辺部に連結固定されることを特徴とする間仕切り構造の発明を定義している。
【００１５】
請求項２に記載の発明によれば、連接方向の各端部に位置する間仕切りパネルが、固定部材または室内の周辺部例えば壁部に連結固定されることによって、それら間仕切りパネルが固定溝に沿って移動できないように固定される。また、それら間仕切りパネルの間に配置された間仕切りパネルは隣接する間仕切りパネルと互いに連結部の内側面が密着した状態となっているため、これら中間に位置する間仕切りパネルも固定溝に沿ってのいずれの方向の動きに対しても固定される。したがって、連接方向の各端部の間仕切りパネルを固定部材または室内の周辺部に連結固定するだけで、全ての間仕切りパネルが固定溝に沿って移動しないように固定され、それ以外の方向に対しては固定部材によって固定されているため、各間仕切りパネルの完全な固定を容易かつ迅速に行うことができる。
【００１６】
【００１７】
【００１８】
請求項３は、請求項１または請求項２に記載の発明に係る間仕切りにおいて、
前記第１挿入溝と、前記第２挿入溝とは、互いに対向する位置にあることを特徴とする間仕切りの発明を定義している。
【００１９】
請求項３に記載の発明によれば、固定部材の一方の側面から固定溝に連通する第１挿入溝と、固定部材の他方の側面から固定溝に連通する第２挿入溝とが、互いに対向する位置にある。したがって、固定部材の一方の側面から他方の側面まで貫通させて第１および第２挿入溝を形成することができ、第１および第２挿入溝を迅速かつ容易に形成することができる。
【００２０】
請求項４は、請求項１ないし請求項３のいずれかに記載の発明に係る間仕切りにおいて、
隣接する前記間仕切りパネル同士は、隣接するそれぞれの前記連結部の一方に突起部、他方にこの突起部と嵌合する穴部が形成されていることを特徴とする間仕切り構造の発明を定義している。
【００２１】
請求項４に記載の発明によれば、隣接する間仕切りパネルの隣接する連結部同士は、それぞれが有する突起部と穴部との嵌合によって結合されるため、隣接する間仕切りパネル同士の連結の一体性を増すことができる。
【００２２】
請求項５は、請求項４に記載の発明に係る間仕切りにおいて、
前記連結部は、該連結部の上端から下端まで延びる芯材を含んで形成され、
前記芯材は、上下対称な形状を有し、
前記突起部と、前記穴部とは、一対の前記芯材の対応する位置に形成されることを特徴とする間仕切り構造の発明を定義している。
【００２３】
請求項５に記載の発明によれば、上下対称な形状を有する芯材に突起部または穴部が形成された芯材が連結部に用いられる。したがって、突起部または穴部が形成された芯材をそれぞれ１種類づつ用意すれば、それらを水平、垂直軸を中心に様々に回転させた状態で用いることによって、間仕切りを形成する全ての間仕切りパネルの縦方向の芯材としての需要に対応することができる。
【００２４】
請求項６は、請求項１ないし請求項５のいずれかに記載の発明に係る間仕切りにおいて、
前記固定部材の少なくとも一方は、室内上方または下方の周辺部に固定され、
前記固定部材が固定された前記周辺部の前記固定部材隣接面と、前記固定部材側面と、前記間仕切りパネルの端面とによって凹部が形成され、
この凹部を覆って被覆部材が固定されていることを特徴とする間仕切り構造の発明を定義している。
【００２５】
請求項６に記載の発明によれば、固定部材が固定された上方または下方の周辺部の固定部材隣接面と、固定部材側面と、間仕切りパネルの端面とによって形成される凹部を覆って被覆部材が固定されるため、外観を向上させることができるとともに、この凹部等を介して配線を行うことや、その配線に接続されたコンセント等を被覆部材に取り付けることもできる。
【００２６】
請求項７に記載の発明に係る間仕切り構造の施工方法は、
間仕切りパネルの端部または突出部を固定部材の固定溝に係合させて間仕切りパネルを固定する請求項１に記載の間仕切り構造の施工方法であって、
前記連結部の突出方向側を前記固定部材に向けて、前記間仕切りパネルの前記突出部を前記固定部材の前記第１または第２挿入溝のいずれか一方から前記固定溝まで挿入する第１工程と、
前記間仕切りパネルの前記突出部を前記固定溝に係合させた状態で、前記間仕切りパネルを前記固定部材の前記固定溝に沿って移動させる第２工程と、
前記連結部の突出方向側を固定部材に向けて、前工程で前記固定溝に係合させた間仕切りパネルに隣接する前記間仕切りパネルの前記突出部を前記第１および第２挿入溝の前工程で用いていない一方から前記固定溝まで挿入する第３工程と、
前記隣接する間仕切りパネルの前記突出部を前記固定溝に係合させた状態で、前記隣接する間仕切りパネルを前記固定部材の前記固定溝に沿って移動させることによって、前記間仕切りパネルの連結部の内側面と前記隣接する間仕切りパネルの連結部の内側面とを密着させて間仕切りパネルの両側部と壁面部によって囲まれる領域を、隣接する間仕切りパネルの連結部が占める部分を除いて凹部として形成する第４工程と、
を有し、
順次隣接する前記間仕切りパネルを追加し、前記第３工程および第４工程を繰り返して前記間仕切りを形成すると共に、前記各間仕切りパネルの凹部内に、１枚の前記間仕切りパネルを挟んで隣り合う２枚の前記間仕切りパネルの各連結部が、前記１枚の間仕切りパネルの対応する連結部と密着するように押圧する棚板を配設することを特徴とする。
【００２７】
請求項７に記載の発明によれば、間仕切りパネルの突出部を、固定部材の第１または第２挿入溝を介して固定溝に挿入し、固定部材の長さ方向に移動させて、固定溝の第１および第２挿入溝に対応する位置と異なる位置にすることによって、間仕切りパネルを上下一対の固定部材の間に仮固定することができる。そのため、間仕切りパネルを用いて間仕切りを構築する際に、間仕切りパネルが固定部材等に固定されるまでの間、間仕切りパネルの転倒を防ぐために人手等による支持を必要とすることなく間仕切りを構築することができる。
【００２８】
また、上下一対の固定部材に、間仕切りパネルの上下部に位置する突出部を係合させた複数の間仕切りパネルを、隣接する連結部の内側面同士が密着する状態で連結し、両端部の間仕切りパネルを周囲の構造に固定するだけで間仕切りが構築できるため、比較的容易に施工することができる。
【００２９】
さらに、間仕切りパネルの突出部を、間仕切りパネルの上下位置を変化させることなく、固定部材の第１または第２挿入溝を介して固定溝に導き、固定溝に沿って移動させることによって、間仕切りパネルが固定される。したがって、間仕切りパネルを固定部材に係合させるために間仕切りパネルの高さを、上下の固定部材の固定溝の底部間の距離より短くする必要がない。その結果、上下の固定部材の間に固定された間仕切りパネルの上下方向のがたつきが殆どない間仕切り構造を得ることができる。
【００３０】
【発明の実施の形態】
以下、本発明の好適な実施例について、図面を参照しながら、さらに具体的に説明する。
【００３１】
図１は、本実施例の間仕切り構造の一部を示す分解斜視図である。また、図２（Ａ）および図２（Ｂ）は、本実施例の固定部材１０の平面図および側面図である。図２（Ｃ）は、図２（Ａ）および図２（Ｂ）に示した固定部材１０の長さ方向位置に対応させて描いた本実施例の間仕切り構造の水平断面図である。
【００３２】
これらの図に示したように、本実施例の間仕切り構造は、幅方向に連結される複数の間仕切りパネル２０と、間仕切りパネル２０の連結される方向に沿って位置し、間仕切りパネル２０の上下部が固定される上下一対の固定部材１０とを含んで構成される。また、これらの図や、図３（Ａ）の下方からの斜視図に示したように、それぞれの間仕切りパネル２０は、その間仕切りパネル２０のパネル面を形成する壁面部２１と、壁面部２１の両側部に位置し上下方向にわたって延びる連結部２５と、壁面部２１の上下端位置から垂直方向に突出する突出部３１とを含んで構成される。なお、連結部２５は図２（Ｃ）に示した断面図から明らかなように、壁面部２１よりも一方向に突出し、隣接する間仕切りパネルと連結される。
【００３３】
図４（Ａ）は、本実施例の基本的な間仕切りパネル２０の断面形状を示している。この図および図３（Ａ）に示すように、間仕切りパネル２０は、その両側に位置する連結部２５，２５の全長にわたって延びる芯材２８，２８と、それらの芯材２８，２８の内側面を除く全側面を包み、連結部２５，２５の間を結んで壁面部２１を形成する防火ボード２９とを含んで構成される。また、壁面部２１では、防火ボード３０が、連結部２５，２５が突出している側からも貼付され２重となっている。防火ボード２９，３０には、例えば石膏ボードや無機面材が用いられる。
【００３４】
図４（Ｂ）および（Ｃ）は、防火ボード２９が展開された状態における平面図および正面図である。防火ボード２９は、図４（Ｃ）に示したようにＶ字型の切り込みを入れ、折り曲げることによって、図４（Ａ）に示したように、両方の連結部２５，２５の芯材２８，２８を包み込む形状とされる。
【００３５】
固定部材１０には、図２（Ａ）に平面図として示し、図２（Ｂ）に側面図として示したように、その長さ方向に延び、突出部３１が固定される固定溝１１が形成されている。
【００３６】
さらに、間仕切りパネル２０の突出部３１が位置する側の固定部材１０には、図２（Ａ）および図２（Ｂ）に示したように、固定部材１０の一方の側面から固定溝１１に連通する第１挿入溝１２と、固定部材１０の他方の側面から固定溝１１に連通する第２挿入溝１３が形成されている。本実施例では、第１挿入溝１２と、第２挿入溝１３とは、固定溝１１を挟んで互いに対向する位置にある。したがって、固定部材１０の一方の側面から他方の側面まで貫通させて第１および第２挿入溝１２，１３を形成することができ、第１および第２挿入溝１２，１３を迅速かつ容易に形成することができる。
【００３７】
これら挿入溝１２，１３には、間仕切り構造の構築において、間仕切りパネル２０の突出部３１が固定部材１０の側面側から挿入され、固定溝１１に向けて移動される。図３（Ｂ）は、突出部３１が固定溝１１に向けて挿入される様子を、突出部３１が形成された芯材２８のみを便宜的に示す模式的な斜視図である。
【００３８】
各間仕切りパネル２０は、このように各突出部３１が挿入溝１２，１３を介して固定溝１１に挿入された後、固定溝１１に沿って移動される。その結果、固定部材１０の長さ方向位置を対応させて描いた図２（Ａ）、（Ｂ）、および（Ｃ）からも明らかなように、各間仕切りパネル２０は、突出部３１が固定部材１０の固定溝１１の挿入溝１２，１３に対応する位置と異なり、隣接する間仕切りパネル２０の隣接する連結部２５の内側面同士が密着した状態となる所定の位置に配置される。
【００３９】
また、間仕切りパネル２０の隣接する連結部２５同士は、隣接する間仕切りパネル２０，２０の連結部を示す部分断面図として図５に示したように、それぞれの内側面に面して、一方の連結部２５には突起部２６が、他方の連結部２５には穴部２７が、互いに対応する位置に設けられている。隣接する間仕切りパネル２０，２０同士は、これら突起部２６と穴部２７との嵌合によっても結合される。これによって、隣接する間仕切りパネル２０，２０同士の連結の一体性を増すことができる。
【００４０】
各間仕切りパネル２０の固定は、間仕切りパネル２０の連接方向の両端部に位置する間仕切りパネル２０を、固定部材１０または室内の周辺部例えば壁部に連結固定することによって行われる。例えば、図２（Ｃ）に示すように、右端に位置する間仕切りパネルａを釘等で室内の周辺部に固定し、同様に左端に位置する間仕切りパネルｇを室内の周辺部に固定する。なお、図２（Ｃ）においては、説明の都合上、複数の間仕切りパネル２０のそれぞれを区別するために、それぞれにａ，ｂ，ｃ，ｄ，ｅ，ｆ，ｇとの符号を付加してある。前述したように、各間仕切りパネル２０は隣接する間仕切りパネル２０と互いに連結部２５の内側面が密着した状態となっているため、固定された間仕切りパネル２０（ａ），２０（ｇ）の間に配置された各間仕切りパネル２０（ｂ），２０（ｃ），２０（ｄ），２０（ｅ），２０（ｆ）は、図２（Ｃ）において左方への動きについては固定された間仕切りパネル２０（ａ）によって固定され、図２（Ｃ）において右方への動きについては固定された間仕切りパネル２０（）ｇによって固定される。したがって、固定された間仕切りパネル２０（ａ），２０（ｇ）の間に配置された各間仕切りパネル２０（ｂ），２０（ｃ），２０（ｄ），２０（ｅ），２０（ｆ）も、固定溝１１に沿ってのいずれの方向の動きに対しても固定されることになる。
【００４１】
その結果、固定溝１１に沿っての動き以外は、上下に位置する固定部材１０によって固定された各間仕切りパネル２０は、連接方向の各端部の間仕切りパネル２０（ａ），２０（ｇ）を固定部材１０または室内の周辺部に連結固定するだけで、全ての間仕切りパネル２０が固定溝１１に沿っても移動しないように固定されるため、完全に固定されることになる。このようにして、各間仕切りパネル２０の完全な固定を容易かつ迅速に行うことができる。
【００４２】
なお、本実施例においては、両端部の間仕切りパネル２０（ｂ）、２０（ｆ）は、その両側部に位置する芯材２８の他に、それらの中間にも芯材２８を有し、それぞれの芯材２８の端部には突出部３１が形成され、その防火ボード２９が延長されて室内の周辺部に配置された縦材５０の一方の側面に被さるようになっている。また、両端部に位置する他の一対の間仕切りパネル２０（ａ）、２０（ｇ）も、その防火ボード２９が延長されて室内の周辺部に配置された縦材５０の他方の側面に被さるようになっている。
【００４３】
図６は、例えば、図２（Ｃ）において直線ＶＩ−ＶＩで示した位置、すなわち間仕切りパネル２０の壁面部２１のみがある部分における、本実施例の間仕切り構造の垂直断面図である。また、図７は、図２（Ｃ）において直線ＶＩＩ−ＶＩＩで示した位置、すなわち間仕切りパネル２０の連結部２５および壁面部２１がある部分における、本実施例の間仕切り構造の垂直断面図である。これらの図に示すように、下部の固定部材１０は、室内下方の周辺部である床部３８上に固定されており、床部３８の固定部材１０隣接面と、固定部材１０の側面１４と、間仕切りパネル２０の端面とによって凹部１５が形成されている。また、上部の固定部材１０は、室内上方の周辺部である梁４１の下面に固定されており、この梁４１の固定部材１０に隣接する面と、固定部材１０の側面１４と、間仕切りパネル２０の端面とによって凹部１５が形成されている。そして、この凹部１５を覆って被覆部材３５が固定されている。これらの被覆部材３５によって、外観を向上させることができるとともに、覆われた凹部１５を配線等に利用することや、この配線に接続されたコンセント等を被覆部材３５に取り付けること等が可能となる。
【００４４】
前述したように（図４（Ａ）および、図５参照）、本実施例の間仕切りパネル２０は、防火ボード２９，３０と芯材２８とを含んで形成され、芯材２８には隣接する間仕切りパネル２０同士の連結を強化するために、突起部２６または穴部２７が設けられている。各間仕切りパネル２０は、隣接する間仕切りパネル２０と突起部２６および穴部２７による結合を可能にするため、例えば図８に間仕切り構造全体の断面図として示したように、穴部２７を有する芯材２８と突起部２６を有する芯材２８とが、対応する組み合わせになるように、各間仕切りパネル２０における芯材２８の配置と各間仕切りパネル２０の配置とを行う必要がある。
【００４５】
図８において、各間仕切りパネル２０のハッチングが施されていない芯材２８は、穴部２７を有する芯材２８を示している。また、それらの芯材２８と引出線で結ばれている図は、それぞれの芯材２８の穴部２７の平面図における位置と向きを示している。この図に示したように、平面図に示した各芯材２８の左右および上下の向きは、芯材の用いられている箇所によって、数種類あることがわかる。例えば、図８において、Ｂとして示した芯材２８は穴部２７が手前に位置し右方を向いて開口しており、Ｄとして示した芯材２８は穴部２７が奥に位置し右方を向いて開口している。
【００４６】
ところで、本実施例の間仕切りパネル２０の芯材２８は、上下対称な形状であり、穴部２７または突起部２６を備えている。図９（Ａ）は、穴部２７を有する芯材２８を斜視図として示している。この芯材２８を垂直軸あるいは水平軸回りに回転させることによって、図９（Ｂ１），（Ｂ２）〜（Ｅ１），（Ｅ２）に、それぞれの回転位置における平面図および正面図として示したような位置関係で穴部２７が位置する芯材２８を得ることができる。ちなみに、図９（Ｂ１），（Ｂ２）は、図９（Ａ）で左に見える側面を正面とした場合の芯材２８の平面図および正面図である。この状態から順次、垂直軸回りに１８０°回転、正面と直角な水平軸回りに１８０°回転、そして垂直軸回りに１８０°回転を行うことによって、図９（Ｃ１），（Ｃ２）、図９（Ｄ１），（Ｄ２）、そして図９（Ｅ１），（Ｅ２）にそれぞれ平面図および正面図として示したような位置関係となる芯材２８を得ることができる。これらの図を、図８にＢ、Ｄ、およびＥとして示した芯材２８の平面図と比較してみると、所定の位置に穴部が形成された１種類の芯材を回転させることで、所望の位置に穴部２７が位置する芯材２８が得られることがわかる。
【００４７】
同様に、穴部２７が形成された芯材２８の穴部２７に対応する位置に突起部２６を有し、上下対称な形状の１種類の芯材２８を、垂直軸回り、または、水平軸回りに回転させることによって、所望の位置に突起部２６を有する芯材２８を得ることができる。
【００４８】
このように、本実施例の間仕切りパネル２０の連結部２５に用いられる芯材２８は、穴部２７を有するものと、突起部２６を有するものとがそれぞれ１種類づつあれば本実施例の間仕切り構造を形成することが可能なため、部材の種類の削減を図ることができる。
【００４９】
図１０（Ａ）、（Ｂ）、（Ｃ）、および、（Ｄ）は、本実施例の基本的な間仕切りパネル２０の断面図である。図８の場合と同様に、ハッチングが加えられた芯材２８は突起部２６を有する芯材２８であることを示し、ハッチングが施されていない芯材２８は穴部２７を有する芯材２８であることを示している。これらの図に示すように、連結部２５の突出方向と、突出部２６および穴部２７の位置関係とによって、４種類の間仕切りパネル２０が考えられる。しかし、本実施例の間仕切りパネル２０は、上下対称な形状を有するため、１種類の間仕切りパネル２０を垂直軸あるいは水平軸回りに回転させることによって、これらの図に示した種類の間仕切りパネル２０を得ることができる。すなわち、図１０（Ａ）に示した間仕切りパネル２０を、順次、垂直軸回りに１８０°回転、壁面部２１と平行な水平軸回りに１８０°回転、および、垂直軸回りに１８０°回転させることによって、図１０（Ｂ）、図１０（Ｃ）、および図１０（Ｄ）に示した断面となる間仕切りパネル２０を得ることができる。
【００５０】
このように、本実施例によれば、直立した状態における連結部２５の突出方向と、突起部２６および穴部２７の位置関係とのいずれかが異なる４種類の間仕切りパネル２０を、１種類の間仕切りパネル２０を垂直軸あるいは水平軸の回りに回転させることによって得ることができる。そのため、本実施例の間仕切りパネル２０を用いることによって、間仕切り構造の形成に必要な間仕切りパネル２０の種類を削減することができる。
【００５１】
以上のように、本実施例の間仕切り構造によれば、間仕切りパネル２０の突出部３１を、固定部材１０の第１または第２挿入溝１２，１３を介して固定溝１１に挿入した後、固定部材１０の長さ方向に移動させて、固定溝１１の第１および第２挿入溝１２，１３に対応する位置と異なる位置にすることによって、間仕切りパネル２０を上下一対の固定部材１０の間に仮固定することができる間仕切り構造が得られる。そのため、間仕切りパネル２０を用いて間仕切りを構築する際に、間仕切りパネル２０が固定部材１０等に完全に固定されるまでの間、間仕切りパネル２０の転倒を防ぐために人手によって支持しておく必要を生じることなく間仕切りを構築することが可能となる。
【００５２】
また、上下一対の固定部材１０に、間仕切りパネル２０の上下部に位置する突出部３１を係合させた複数の間仕切りパネル２０を、隣接する連結部２５の内側面同士が密着する状態で連結することによって、間仕切りを構築することができるため、組立および解体が容易な間仕切り構造となる。
【００５３】
さらに、第１および第２挿入溝１２，１３のある固定部材１０には、間仕切りパネル２０の上下位置を変化させることなく、間仕切りパネル２０の突出部３１を第１または第２挿入溝１２，１３を介して固定溝１１に導き、固定溝１１に沿って移動させることによって、間仕切りパネル２０を固定することができるため、間仕切りパネル２０を固定部材１０に係合させるために間仕切りパネル２０の高さを、上下の固定部材１０の固定溝１１の底部間の距離より短くする必要がない。したがって、間仕切りパネル２０は、上下の固定部材１０の固定溝１１の底部間にほぼ隙間なく挟まれることになり、間仕切りパネル２０の上下方向のがたつきが殆ど生じえない間仕切り構造となる。
【００５４】
また、本実施例の間仕切りパネル２０は、垂直に直立した状態を保ったままで、第１および第２挿入溝１２，１３を介して固定溝１１に係合させることができるため、固定溝１１は、斜めになった突出部３１が挿入可能になるように間仕切りパネル２０の厚さ方向の寸法に余裕を持たせる必要がない。したがって本実施例によれば、間仕切りパネル２０の厚さ方向のがたつきが殆ど生じ得ない間仕切り構造を得ることができる。
【００５５】
以下、上述した本実施例の間仕切り構造の施工方法について説明する。
【００５６】
まず、一対の固定部材１０を、室内の周辺部に取り付け、図１に斜視図として示したように、間仕切りパネル２０が配置される位置の上下に位置させる。
【００５７】
そして、間仕切りパネル２０の連結部２５の突出方向側を上下一対の固定部材１０の側面に向けた状態で、間仕切りパネル２０の上下に位置する突出部３１を、上下一対の固定部材１０の第１または第２挿入溝１２，１３のいずれか一方から固定溝１１まで挿入する。図１には、４枚目の間仕切りパネル２０の連結部２５の側を固定部材１０に向けた状態で、上下各１対の突出部３１を、上下の固定部材１０の各１対の第１挿入溝１２に挿入しようとする状態を示している。また、図１１（Ａ）は、１枚の間仕切りパネル２０の１対の突出部３１を、固定部材１０の１対の第１挿入溝１２に挿入しようとする状態を模式的な平面図として示しており、図１１（Ｂ）は、間仕切りパネル２０の１対の突出部３１が、固定部材１０の固定溝１１の位置まで挿入された状態を模式的な平面図として示している。
【００５８】
次に、間仕切りパネル２０の突出部３１を固定溝１１に係合させた状態で、間仕切りパネル２０を固定部材１０の固定溝１１に沿って移動させる。図１１（Ｃ）は、間仕切りパネル２０の突出部３１を固定溝１１に係合させた状態で、間仕切りパネル２０を固定溝１１に沿って移動させた状態を模式的な平面図として示している。
【００５９】
そして、連結部２５の突出方向の側を固定部材１０に向けて、前工程で固定溝１１に係合させた間仕切りパネル２０に隣接する間仕切りパネル２０の突出部３１を、前工程で用いたものと反対側の挿入溝である第２挿入溝１３から、図１１（Ｄ）に模式的な平面図として示したように、固定溝１１まで挿入する。
【００６０】
次いで、この間仕切りパネル２０の突出部３１を固定溝１１に係合させた状態で、間仕切りパネル２０を固定部材１０の固定溝１１に沿って移動させることによって、図１１（Ｅ）に模式的な平面図として示したように、互いに隣接する間仕切りパネル２０，２０の連結部２５，２５の内側面同士を密着させる。
【００６１】
本実施例の間仕切り構造は、上記のように、第１挿入溝１２または第２挿入溝１３のうち隣接する間仕切りパネル２０で用いた挿入溝とは反対側の挿入溝を介して間仕切りパネル２０を固定溝１１まで挿入し、固定溝１１に沿って移動させて固定溝１１に係合させ、互いに隣接する間仕切りパネル２０，２０の連結部２５，２５の内側面同士を密着させることを順次繰り返すことによって、間仕切りパネル２０を順次追加して形成される。
【００６２】
ここで、本実施例の間仕切り構造の構築を、図２（Ａ），（Ｂ），および（Ｃ）を用いて、さらに具体的に説明する。
【００６３】
固定部材１０には、図２（Ａ）に示したように、固定部材１０の長手方向のそれぞれの位置ｉ，ｉｉ，ｉｉｉ，ｉｖ，ｖ，ｖｉ，ｖｉｉ，ｖｉｉｉ，ｉｖにおいて、第１挿入溝１２および第２挿入溝１３が形成されている。また、説明の都合上、複数の間仕切りパネル２０のそれぞれを区別するために、それぞれにａ，ｂ，ｃ，ｄ，ｅ，ｆ，ｇとの符号を付ける。
【００６４】
図２（Ｃ）に断面図で示す間仕切り構造の構築においては、まず、間仕切りパネル２０（ｂ）の３つの突出部３１を、位置ｉ，ｉｉ，ｉｖの第１挿入溝１２を介して固定部材１０の固定溝１１に位置させる。そして、間仕切りパネル２０（ｂ）を固定溝１１に沿って図２（Ａ）の平面図上で右に移動させて、図２（Ｃ）に断面図として示した位置に位置させる。なお、この間仕切りパネル２０（ｂ）および間仕切りパネル２０（ｆ）は、両側部の他に、それらの中間にも芯材２８を有し、その芯材２８の上下端にも突出部３１を有する。
【００６５】
次に、間仕切りパネル２０（ａ）の１対の突出部３１を、位置ｉ，ｉｉの第２挿入溝１３を介して固定部材１０の固定溝１１に位置させる。そして、間仕切りパネル２０（ａ）を、固定溝１１に沿って図２（Ａ）の平面図上で右に移動させて、連結部２５の内側面を間仕切りパネル２０（ａ）の連結部２５と密着させて、図２（Ｃ）の断面図に示した位置に設置する。間仕切りパネル２０（ａ）は、釘等によってこの位置で固定部材に固定される。したがって、間仕切りパネル２０（ｂ）も、左方へは移動できないように固定されることになる。また、内側面同士を密着させて左方に連結される各間仕切りパネル２０も左方へは移動できないように固定されることになる。
【００６６】
次いで、間仕切りパネルｃの１対の突出部３１を、位置ｉｉｉ，ｖの第２挿入溝１３を介して固定部材１０の固定溝１１に位置させる。そして、間仕切りパネル２０（ｃ）を固定溝１１に沿って、図２（Ａ）の平面図上で左に移動させ、連結部２５の内側面を間仕切りパネル２０（ｂ）の連結部２５の内側面と密着させ、図２（Ｃ）の断面図に示した位置に位置させる。
【００６７】
次に、間仕切りパネル２０（ｄ）の１対の突出部３１を、位置ｖ，ｖｉの第１挿入溝１２を介して固定部材１０の固定溝１１に位置させる。そして、間仕切りパネル２０（ｄ）を固定溝１１に沿って、図２（Ａ）の平面図上で左に移動させ、連結部２５の内側面を間仕切りパネル２０（ｃ）の連結部２５の内側面と密着させ、図２（Ｃ）の断面図に示した位置に位置させる。
【００６８】
次いで、間仕切りパネル２０（ｅ）の１対の突出部３１を、位置ｖｉ，ｖｉｉの第２挿入溝１３を介して固定部材１０の固定溝１１に位置させる。そして、間仕切りパネル２０（ｅ）を固定溝１１に沿って、図２（Ａ）の平面図上で左に移動させ、その連結部２５の内側面を間仕切りパネル２０（ｄ）の連結部２５の内側面と密着させ、図２（Ｃ）の断面図に示した位置に位置させる。
【００６９】
次に、間仕切りパネル２０（ｆ）の３つの突出部を、位置ｖｉｉ，ｖｉｉｉ，ｉｘの第１挿入溝１２を介して固定部材１０の固定溝１１に位置させる。そして、間仕切りパネルｆを固定溝１１に沿って、図２（Ａ）の平面図上で左に移動させ、その連結部２５の内側面を間仕切りパネル２０（ｅ）の連結部２５の内側面と密着させ、図２（Ｃ）の断面図に示した位置に位置させる。
【００７０】
最後に、間仕切りパネル２０（ｇ）の１対の突出部３１を、位置ｖｉｉｉ，ｉｘの第２挿入溝１３を介して固定部材１０の固定溝１１に位置させる。そして、間仕切りパネル２０（ｇ）を、固定溝１０に沿って図２（Ａ）の平面図上で左に移動させ、その連結部２５の内側面を間仕切りパネル２０（ｆ）の連結部２５の内側面と密着させ、図２（Ｃ）の断面図に示した位置に位置させて、固定部材１０に釘等で固定する。これによって、各間仕切りパネルは図２（Ｃ）の平面図上で右方向にも移動しないように固定されることになる。各間仕切りパネル２０は、上下の固定部材１０，１０の間に設置された後も固定部材１０，１０に沿った動きは可能であったが、これで各間仕切りパネル２０は完全に固定される。
【００７１】
本実施例の間仕切り構造の施工方法によれば、間仕切りパネル２０の突出部３１を、固定部材１０の第１または第２挿入溝１２，１３を介して固定溝１１に挿入し、固定部材１０の長さ方向に移動させて、固定溝１１の第１および第２挿入溝１２，１３に対応する位置と異なる位置にすることによって、間仕切りパネル２０を上下一対の固定部材１０の間に仮固定することができる。そのため、間仕切りパネル２０を用いて間仕切りを構築する際に、間仕切りパネル２０が固定部材１０等に固定されるまでの間、間仕切りパネル２０の転倒を防ぐために人手等による支持を必要とすることなく間仕切りを構築することができる。
【００７２】
また、上下一対の固定部材１０に、間仕切りパネル２０の上下部に位置する突出部３１を係合させた複数の間仕切りパネル２０を、隣接する連結部２５の内側面同士が密着する状態で連結し、両端部の間仕切りパネル２０を周囲の構造に固定するだけで間仕切りが構築できるため、比較的容易に施工することができる。
【００７３】
さらに、間仕切りパネル２０の突出部３１を、間仕切りパネル２０の上下位置を変化させることなく、固定部材１０の第１または第２挿入溝１２，１３を介して固定溝１１に導き、固定溝１１に沿って移動させることによって、間仕切りパネル２０が固定される。したがって、間仕切りパネル２０を固定部材１０に係合させるために間仕切りパネル２０の高さを、上下の固定部材１０の固定溝１１の底部間の距離より短くする必要がない。したがって、上下の固定部材１０の間に固定された間仕切りパネル２０の上下方向のがたつきが殆どない間仕切り構造を得ることができる。
【００７４】
また、本実施例の間仕切りパネル２０は、垂直に直立した状態を保ったままで、第１および第２挿入溝１２，１３を介して固定溝１１に係合されるため、固定溝１１は、斜めになった突出部３１が挿入可能になるように間仕切りパネル２０の厚さ方向の寸法に余裕を持たせる必要がない。したがって本実施例によれば、間仕切りパネル２０の厚さ方向のがたつきが殆ど生じ得ない間仕切り構造を得ることができる。
【００７５】
以上、本発明の実施例を説明したが、本発明は前述した各実施例に限定されるものではなく、本発明の要旨の範囲内または特許請求の範囲の均等範囲内で各種の変形実施が可能である。
【００７６】
例えば、上記実施例では、間仕切りパネル２０の各芯材２８は、間仕切りパネル２０同士の連結を強化するために嵌合される穴部２７または突起部２６を含めて上下対称な形状である場合を示した。しかし、芯材２８の本体自体の外形形状が上下対称であれば、穴部２７または突起部２６の配置のために芯材２８の上下対称が保てない場合でも、上述した実施例の場合と同様に、穴部２７を有する芯材２８を１種類のみ用意し、その穴部２７に対応する位置に突起部２６を有する芯材２８を１種類のみ用意すれば、各芯材２８を適切な方向に向けることによって、突起部２６および穴部２７の位置および向きの全てのパターンに対応した芯材２８を得ることができる。そして、適切な向きの芯材２８が配置された間仕切りパネル２０を組み合わせて、間仕切り構造を形成することが可能である。
【００７７】
また、上記各実施例では、上下の固定部材１０の間に配置された各間仕切りパネル２０が固定部材１０の長さ方向に移動しないように固定するために、左右の端部に位置する間仕切りパネル２０を固定部材１０等に釘等で固定したが、上下の固定部材１０の間の各間仕切りパネル２０が左右に移動しないように、次のようにして固定することもできる。すなわち、図１２に示したように、１枚の間仕切りパネル２０を挟んで隣り合う２枚の間仕切りパネル２０の各連結部２５が、１枚の間仕切りパネル２０の対応する連結部２５と密着するように押圧する押圧部材４４例えば棚板を配置する。このような押圧部材４４を、すべての間仕切りパネル２０の連結部分２５の内面同士が互いに押圧されるように複数配置することによって、各間仕切りパネル２０は、各連結部２５の内側面が隣接する間仕切りパネル２０の内側面と密着されるように保たれ、両端の間仕切りパネル２０は室内の周囲の構造例えば壁部に密着されるため、各間仕切りパネル２０は、固定部材１０の長さ方向にも移動しないように固定されることになる。なお、図６は、間仕切りパネル２０の上下端に押圧部材４４が固定された場合を示す本実施例の間仕切り構造の縦断面図である。
【００７８】
さらに、上記各実施例では、第１挿入溝１２および第２挿入溝１３が、固定部材１０の対向する位置に、それぞれ複数組設けられている例を示した。しかし、図１３（Ａ）に示したように、第１挿入溝１２，１２間および第２挿入溝１３，１３間の距離が間仕切りパネル２０の突出部３１，３１間の距離に対応していれば、第１挿入溝１２と第２挿入溝１３は固定部材１０の対向する位置になくともよい。また、図１３（Ｂ）に工程順の番号とともに示したように、第１挿入溝１２と第２挿入溝１３とがそれぞれ１組ずつあれば、隣接する各間仕切りパネル２０の各連結部２５の各内側面が密着する状態で連結された間仕切りパネル２０を、一体として移動させて、次々に間仕切りパネル２０を連結することによって、本発明の間仕切り構造を得ることもできる。
【００７９】
また、上記各実施例では、上下の固定部材１０の両方に第１および第２挿入溝１２，１３を設けた例を示したが、いずれか一方の固定部材１０には、第１および第２挿入溝１２，１３を設けず、固定溝１１のみを設けるようにしてもよい。図１４は、下方に位置する固定部材１０には固定溝１１のみを設けた例を斜視図として示している。この場合には、図１４に示したように、まず、間仕切りパネル２０を少し傾けた状態で、下方の固定部材１０の固定溝１１に間仕切りパネル２０の下部の突出部３１を係合させた後、間仕切りパネル２０を垂直位置に戻しながら、その上部の突出部３１を上方の固定部材１０の第１挿入溝１２または第２挿入溝１３を介して固定溝１１まで挿入し、間仕切りパネル２０全体を固定部材１０の長さ方向に移動させて、上下の固定部材１０の間に係合させる。
【００８０】
なお、この場合、固定溝１１のみを有する固定部材１０への間仕切りパネル２０の係合は、固定溝１０の幅が間仕切りパネル２０の連結部２５を含めた厚さに対応していれば、間仕切りパネルは、その固定部材１０に対応する側に突出部３１を有している必要はない。したがって、上部または下部のいずれか一方のみに突出部３１を有する間仕切りパネル２０を用いて、本発明の間仕切り構造を構築することもできる。
【００８１】
また、上記実施例では、間仕切り構造の両端部に位置する間仕切りパネル２０には、その両側部だけでなく、中間にも縦方向の芯材２８を有し、その芯材２８の両端部にも突出部３１を有する間仕切りパネル２０を用いた例を示したが、両側部のみに縦方向の芯材２８を有し、それらの少なくとも上方または下方の端部に突出部３１を有する基本的な間仕切りパネル２０を用いても良いことは言うまでもない。
【００８２】
また、上記実施例では、固定部材１０およびそれに形成された固定溝１１が間仕切り構造のほぼ両端部間にわたって連続している例を示したが、各間仕切りパネル２０の突出部３１が第１または第２挿入溝１２，１３を介して固定溝１１まで挿入でき、隣接する間仕切りパネル２０の連結部２５の内側面同士が密着できるように、各突出部３１が固定溝１１に沿って移動できれば、固定部材１０および固定溝１１は必ずしも間仕切り構造のほぼ両端部の間にわたって連続して形成されている必要はなく、いくつかに分割されていても良い。
【００８３】
【発明の効果】
以上説明したように、請求項１に記載の発明によれば、間仕切りパネルを用いて間仕切りを構築する際に、間仕切りパネルが固定部材等に完全に固定されるまでの間、間仕切りパネルの転倒を防ぐために人手によって支持しておく必要を生じることなく間仕切りを構築することができる。
【００８４】
また、上下一対の固定部材に、間仕切りパネルの上下部に位置する突出部を係合させた複数の間仕切りパネルを、隣接する連結部の内側面同士が密着する状態で連結するだけで、間仕切りを構築することができるため、組立および解体が容易な間仕切り構造となる。
【００８５】
さらに、固定部材の間に固定された間仕切りパネルの上下方向のがたつきが殆ど生じえない間仕切り構造となる。
【００８６】
また、間仕切りパネルの両側部の間に残される凹部を収納用のスペース等として利用することができる。また、各間仕切りパネルは、棚板によって固定溝に沿った方向に対して固定されることになり、それ以外の方向に対しては固定部材によって固定されているため、各間仕切りパネルを完全に固定することができる。
【００８７】
請求項２に記載の発明によれば、連接方向の各端部の間仕切りパネルを固定部材または室内の周辺部に連結固定するだけで、全ての間仕切りパネルが固定溝に沿って移動しないように固定され、それ以外の方向に対しては固定部材によって固定されているため、各間仕切りパネルの完全な固定を容易かつ迅速に行うことができる。
【００８８】
【００８９】
請求項３に記載の発明によれば、固定部材の一方の側面から他方の側面まで貫通させて第１および第２挿入溝を形成することができ、第１および第２挿入溝を迅速かつ容易に形成することができる。
【００９０】
請求項４に記載の発明によれば、隣接する間仕切りパネルの隣接する連結部同士は、それぞれが有する突起部と穴部との嵌合によって結合されるため、隣接する間仕切りパネル同士の連結の一体性を増すことができる。
【００９１】
請求項５に記載の発明によれば、突起部または穴部が形成された芯材は、それぞれ１種類づつあれば、間仕切りを形成する全ての間仕切りパネルの縦方向の芯材としての需要に対応することができる。
【００９２】
請求項６に記載の発明によれば、固定部材が固定された上方または下方の周辺部と、固定部材側面と、間仕切りパネルの端面とによって形成される凹部を覆って被覆部材が固定されるため、外観を向上させることができるとともに、この凹部等を介して配線を行うことや、その配線に接続されたコンセント等を被覆部材に取り付けることもできる。
【００９３】
請求項７に記載の発明によれば、間仕切りパネルを用いて間仕切りを構築する際に、間仕切りパネルが固定部材等に固定されるまでの間、間仕切りパネルの転倒を防ぐために人手等による支持を必要とすることなく間仕切りを構築することができる。
【００９４】
また、上下一対の固定部材に、間仕切りパネルの上下部に位置する突出部を係合させた複数の間仕切りパネルを、隣接する連結部の内側面同士が密着する状態で連結し、両端部の間仕切りパネルを周囲の構造に固定するだけで間仕切りが構築できるため、比較的容易に施工することができる。
【００９５】
さらに、上下の固定部材の間に固定された間仕切りパネルの上下方向のがたつきが殆どない間仕切り構造を得ることができる。
【図面の簡単な説明】
【図１】  実施例の間仕切り構造を示す斜視図である
【図２】  （Ａ）および（Ｂ）は、固定部材の平面図および側面図であり、（Ｃ）は、（Ａ）および（Ｂ）に示した固定部材の長さ方向位置に対応させて描いた間仕切り構造の水平断面図である。
【図３】  （Ａ）は、実施例の間仕切りパネルを下方から見た斜視図である。（Ｂ）は、突出部と固定部材との係合を模式的に示す斜視図である。
【図４】  （Ａ）は、本実施例の間仕切りパネルの断面図である。（Ｂ）および（Ｃ）は、間仕切りパネルに用いられる防火ボードを展開した状態における平面図および正面図である。
【図５】  間仕切りパネル同士の突起部と穴部による結合を示す部分断面図である。
【図６】  図２（Ｃ）において直線ＶＩ−ＶＩで示した位置における間仕切り構造の垂直断面図である。
【図７】  図２（Ｃ）において直線ＶＩＩ−ＶＩＩで示した位置における間仕切り構造の垂直断面図である。
【図８】  実施例の間仕切り構造と、それを構成する間仕切りパネルに用いられる芯材の断面形状を示す断面図である。
【図９】  （Ａ）は、間仕切りパネルの、穴部を有する芯材の斜視図である。（Ｂ１）、（Ｃ１）、（Ｄ１）、および（Ｅ１）は、芯材の各回転位置における平面図である。（Ｂ２）、（Ｃ２）、（Ｄ２）、および（Ｅ２）は、芯材の各回転位置における正面図である。
【図１０】  （Ａ）、（Ｂ）、（Ｃ）、および（Ｄ）は、間仕切りパネルの各回転位置における断面図である。
【図１１】  （Ａ）、（Ｂ）、（Ｃ）、（Ｄ）、および（Ｅ）は、間仕切り構造の構築の各工程を示す模式的な平面図である。
【図１２】  間仕切りパネルの押圧部材を用いた固定を示す斜視図である。
【図１３】  （Ａ）および（Ｂ）は、第１挿入溝および第２挿入溝の配置の違いによる固定部材の変形例を示す模式的な平面図である。
【図１４】  変形例の固定部材を用いた間仕切り構造の構築を示す斜視図である。
【図１５】  （Ａ）、（Ｂ）、および（Ｃ）は、関連技術の間仕切り構造を示す分解斜視図、断面図、および斜視図である。
【符号の説明】
１０  固定部材
１１  固定溝
１２  第１挿入溝
１３  第２挿入溝
１５  凹部
２０  間仕切りパネル
２１  壁面部
２５  連結部
２６  突起部
２７  穴部
２８  芯材
３１  突出部
３５  幅木
３８  床部
４４  押圧部材
【図１】
0003727037.tif 000002
【図２】
0003727037.tif 000003
【図３】
0003727037.tif 000004
【図４】
0003727037.tif 000005
【図５】
0003727037.tif 000006
【図６】
0003727037.tif 000007
【図７】
0003727037.tif 000008
【図８】
0003727037.tif 000009
【図９】
0003727037.tif 000010
【図１０】
0003727037.tif 000011
【図１１】
0003727037.tif 000012
【図１２】
0003727037.tif 000013
【図１３】
0003727037.tif 000014
【図１４】
0003727037.tif 000015
【図１５】
0003727037.tif 000016